(57)【要約】【課題および解決手段】この発明は、反射器(2)と、ランプベース(3)と、ハロゲンバーナー(4)と、キャップ(6)とを有し、該キャップが、前記ハロゲンバーナー(4)を少なくとも部分的に覆い、反射器の一方の側から他方の側にブリッジとして延びるブラケット(7)によって保持されている反射形ランプ(1)に関する。この発明のよれば、ハロゲンバーナー(4)がガラス球(5)によって覆われている。
2006505905.tif 000002
【特許請求の範囲】
【請求項１】
反射器と、ランプベースと、ハロゲンバーナーと、キャップとを有し、該キャップが、前記ハロゲンバーナーを少なくとも部分的に覆い、反射器の一方の側から他方の側にブリッジとして延びるブラケットによって保持される反射形ランプにおいて、
前記ハロゲンバーナーがガラス球によって覆われていることを特徴とする反射形ランプ。
【請求項２】
前記ガラス球が反射層を有する請求項１記載の反射形ランプ。
【請求項３】
前記ガラスバルブが不透光性の層を有する請求項１記載の反射形ランプ。
【請求項４】
ガラス球の底部は開口を有する請求項１〜３のいずれか１項記載の反射形ランプ。
【請求項５】
前記ランプベースは、ステップつきの円筒状の開口を有する請求項１記載の反射形ランプ。
【請求項６】
前記ランプベースは、ばねを有する請求項５記載の反射形ランプ。
【請求項７】
前記ガラス球は隆起を有する請求項１〜４のいずれか１項記載の反射形ランプ。
【請求項８】
前記ガラス球と前記キャップは、互いに離れて位置する請求項請求項１〜４及び７のいずれか１項記載の反射形ランプ。
【請求項９】
前記ガラス球と前記キャップの間にばねを配置する請求項８記載の反射形ランプ。
【請求項１０】
前記ガラス球は、キャップによって少なくとも部分的に取り囲まれている請求項１〜４及び７〜９のいずれか１項記載の反射形ランプ。
【請求項１１】
前記ハロゲンバーナーは、２個の相互に対向するピンチされた端部を有する請求項１記載の反射形ランプ。
【請求項１２】
前記ハロゲンバーナーの電気的リターンリードは固定手段を有する請求項１１記載の反射形ランプ。
【請求項１３】
前記ハロゲンバーナーはＩＲコーティングを有する請求項１または１１記載の反射形ランプ。
【発明の詳細な説明】
【技術分野】
【０００１】
この発明は、反射器と、ランプベースと、ハロゲンバーナーと、キャップとを有し、該キャップが、前記ハロゲンバーナーを少なくとも部分的に覆い、反射器の一方の側から他方の側にブリッジとして延びるブラケットによって保持される反射形ランプに関する。
【背景技術】
【０００２】
そのような反射形ランプは、米国特許第４，６２３，８１５号から知られている。このランプは、ランプベース上に配置され、そのランプ球がキャップによって覆われているところの、ハロゲン白熱ランプの形式のハロゲンバーナーを有する。
【０００３】
そのような反射形ランプがホルダー内に未熟に導入されたならば、ハロゲンバーナーは、ランプ寿命を短くなるように損傷するかもしれない。
【発明の開示】
【発明が解決しようとする課題】
【０００４】
この発明は、挿入中の損傷を防止するようにランプを改良することを目的とする。
【課題を解決するための手段】
【０００５】
この目的は、請求項１の特徴事項によって達成される。この発明によれば、ハロゲンバーナーはガラス球によって覆われている。ハロゲンバーナーは前記ガラス球の内部に配置され、そのようにして保護されている。ハロゲンバーナーへの直接アクセスはそれによって防止される。接点及び電気伝導接続ワイヤは、挿入中は破壊されない。
【０００６】
有利には、ガラス球が反射層を有する。光線は、これによって反射器に向かって戻るように反射され、そして、軸線方向への光の放射が高められる。これは、光の放射特性を改良し、かつ迷光を打ち消す。
単純な方法では、ガラス球が不透光性である層を有する。これによって、グレアは防止される。
【０００７】
有利には、ガラス球の底部が開口を有する。この方法では、ガラス球から熱を逃がすことができる。
【０００８】
有利には、ランプベースは、ガラス球を挿入することができるステップ付きの円筒状の開口を有する。これによって、ガラス球は、半径方向と軸線方向の両方向に画定された位置が与えられる。
【０００９】
有利には、ランプベースがばねを有する。このばねは、ランプベースの内側円筒表面に対しガラス球を押圧し、その結果、ガラス球は、特に第２の軸線方向に保持される。
【００１０】
有利には、ガラス球は隆起を有する。反射器は、その頂部に反射器端縁によって画定された開口を有する。この端縁がランプベースの開口の上方または内部、および従ってガラス球の隆起の上方に突出するならば、反射器は、ガラス球の位置を第２の軸線方向に画定する保持手段として役に立つであろう。
【００１１】
有利には、ガラス球とキャップは、互いから離れている。このようにして、ガラス球とキャップから熱を逃がすことができ、また、蓄熱が避けられる。これによって、ランプの温度バランスが改良される。
【００１２】
有利には、ガラス球とキャップとの間にばねを配置する。このばねは、前記開口のステップ上にガラス球を押圧する。このようにして、ガラス球は第２の軸線方向の画定された位置が与えられ、そして、信頼できるシート（secure seat）がガラス球のために保護される。
【００１３】
有利には、ガラス球がキャップによって少なくとも部分的に取り囲まれている。ガラス球は、それによって第２の軸線方向の画定された位置が与えられ、そして、ガラス球の信頼できる保持が保障される。
【００１４】
有利には、以下でもまた示されているツー−ピンチ（two-pinch）バーナーのようなハロゲンバーナーは、２個の相互に対向するピンチ（pinches）を有する。このツー−ピンチバーナーは、最適化された光放射特性をもつ楕円体のガラス球を有する。
【００１５】
有利には、電気的リターンリード(electrical return lead)は固定手段を有する。ガラス球は、それによって第２の軸線方向に保持され、ガラス球の信頼できる保持が保障される。
【００１６】
有利には、ハロゲンバーナーのバルブはＩＲコーティングを有する。このコーティングは、コイル上に向かって赤外線を反射させ、そのようにして、ハロゲンバーナーのエネルギーバランスを改良する。
【発明を実施するための最良の形態】
【００１７】
この発明のよりよく理解するため、この発明の実施形態が、以下で図面を参照しながらより詳細に説明するであろう。
【００１８】
図１及び図２に示す反射形ランプ１は、反射器２と、セラミックランプベース３と、ハロゲンバーナー４と、ガラス球５と、キャップ６とを有し、このキャップ６が、前記ハロゲンバーナー４を少なくとも部分的に覆い、反射器の一方の側から他方の側にブリッジとして延びるブラケット７によって保持されている。キャップ６とブラケット７は、一体的なコンポーネントとして構成されている。反射器２は、ランプベース３によって保持される。ランプベース３はディスク状の拡大部９をもつ管状のベースボディ８を有する。管状のベースボディ８の内側には、より大きな直径を１１をもち、ステップ１２まで延びる第１の円筒状開口１０と、より小さな直径１４をもつは第２の円筒状開口１３とがある。ガラス球５は、第１の端部１５にカレット(cullet)１６を有する。ガラス球５は、そのカレット１６とともに、ガラス球５の端部表面１７がステップ１２と衝合するように
、半径方向のクリアランスをもって開口１０内に挿入される。反射器２は、ガラス球５がランプベース３の開口１０内に保持されるように、ガラス球５のカレット１６の上方に反射器の内側端縁をもつように延在させる。このガラス球５は、その第２の端部２０に開口２２をもつ底部２１を有する。ハロゲンバーナー４は、２個の相互に対向するピンチされた端部（pinched ends）２４および２５をもつ楕円体のガラスボディ２３を有し、これらの端部２４および２５を、それぞれ電気導体２６および２７が横断している。端部２４は、底部２１の開口を貫通しキャップ６内に突出する。ガラスボディ２３は、反射器２の中心に位置決めされる。導電接続２７は、ガラス球５の内部から、ランプベース３の下方に配置された一方の部分２９である電気接点２８まで延びる。導電接続２６は、ガラスボディ２３に沿って位置し電気接点３１に通じる電気的なリターンリード３０まで延びる。導電接続２６および２７は、ハロゲンバーナー４の内部のコイル３２に通じている。楕円体のガラスボディ２３、コイル３２、キャップ６およびガラス球５は、共通の長手方向軸線３３を共有する。
【００１９】
良好な照明を得るため、ランプ１は、軸線方向３４とアジマス角３６との間の画定された角度領域内で、実質的に光を放射すべきである。しかしながら、ランプ１は、側方領域３５にも光を放射する。この側方領域３５は、アジマス角３６と更なるアジマス角３７によって確定されるスペースを照射する。これらのアジマス角３６および３７は、反射器の外側端縁３８とキャップ端縁３９によって画定される。迷光と称されるこの光を反射するため、かつ、それを軸線方向３４とアジマス角３６との間の領域内で利用するため、ガラス球５の底部２１に反射層４０を設ける。この反射層４０は、反射器２上に向かって光を反射させ、これによって、軸線方向３４とアジマス角３６の間の領域内の迷光を屈折させる。
【００２０】
図３は、底部２１と、開口２２と、アジマス角３６および３７によって寸法が与えられる反射層４０とをもつガラス球５を示す。この反射層４０のコーティングは、反射器２上に向かって戻るように迷光を反射させる。択一的に、反射層４０のコーティングは、不透光性の層として形成してもよい。
【００２１】
図４に示す反射形ランプ５１は、反射器５２と、セラミックランプベース５３と、ハロゲンバーナー５４と、ガラス球５５と、キャップ５６とを有し、該キャップが、前記ハロゲンバーナー５４を少なくとも部分的に覆い、反射器の一方の側から他方の側にブリッジとして延びるブラケット５７によって保持されている。キャップ５６とブラケット５７は、一体的なコンポーネントとして構成されている。ガラス球５５は、その位置が、半径方向６０と第１の軸線方向６１の双方に画定されるように、開口端部５８とともにランプベース５３の開口５９内に挿入される。反射器５２は、ランプベース５３によって保持される。この目的のため、反射器５２は、ランプベース５３の開口６３内に延在し、かつクランピング、ロッキングまたはベンディング（clamping, locking or bending）することによって、前記開口６３内で締め付け固定される３個の突起部６２を有する。キャップ５６は、ガラス球５５を覆い、かつその位置もまた半径方向６０に画定する。キャップ５６は、内方に方向付けられた隆起６４を有し、この隆起は、ガラス球５５を第２の軸線方向６５に保持する。
【図面の簡単な説明】
【００２２】
【図１】反射形ランプの模式図である。
【図２】ランプベース内に反射器端縁によって保持されるガラス球の横断面図である。
【図３】ガラス球の横断面図である。
【図４】第２の反射形ランプの横断面である。
【図１】
2006505905.tif 000003
【図２】
2006505905.tif 000004
【図３】
2006505905.tif 000005
【図４】
2006505905.tif 000006
【国際調査報告】
2006505905.tif 000007
2006505905.tif 000008
2006505905.tif 000009